(57)【要約】【課題】一般的には医師の処方に基づいて薬局が薬袋に何日分かの薬と処方量と摂取時期を指示したものを患者に供給している。患者はその指示にしたがいその都度摘出して飲用しているのが現状である。患者によっては幾種類もの薬を飲用せねばならず大変な手間をさいている、また年寄りにいたっては機敏性も衰えており難儀を極めているのが現状となっている。そこで、ここでは一回セットすれば、毎回同じ確認をしなくても済む方式で薬の供給が受けられる薬供給器を格安の仕組みで提供する。【解決手段】一定期間処方された薬量が格納できる一日毎の朝昼夕及び食前食後およびねる前等の格納スペースを設け、全てのスペースに処方された通りに装填しておき、予め一日分出るようにあけた取り出し口の場所に格納スペースを移動させここでは一日５回分落下させるシュートを設けて薬の取り出し部及び１日分のひきだしに供給する。ここでは観覧車型、格子円型及び格子角型の３タイプを課題解決手段とする。各タイプには２週間分タイプと１ヶ月分タイプの２種類を設定する。【選択図】  図１
2005270602.tif 000002
【特許請求の範囲】
【請求項１】
観覧車型薬供給器の形態及び形状を請求項１とする。
その内容は明細書の実施例１の００７による。
【請求項２】
格子円型薬供給器の形態及び形状を請求項２とする。
その内容は明細書の実施例２の００８による。
【請求項３】
観覧車型薬供給器の形態及び形状を請求項３とする。
その内容は明細書の実施例３の００９によ
【発明の詳細な説明】
【技術分野】
【０００１】本発明は、投薬治療を受けている患者が毎日飲んでいる薬を医師の処方箋通りに薬の種類・量を毎回確認することなく、飲みやすくするための薬供給器を提供するものである。
【背景技術】
【０００２】患者個人に支給される薬は錠剤状またはカプセル状になったものが１０ヶ程度づつを１シートにしたものが一般的である。したがって、患者はその都度必要量取り出して服用している。これは患者側で医師の処方にあわせ朝昼晩または食前食後などそのたびに患者自身で選びながらしなくてはならず非常に面倒な行為となっている。それは簡単で安価な薬専用の供給器が市販されていないことが背景と思われる。
【発明が解決しようとする課題】
【０００３】一般的には医師の処方に基づいて薬局が薬袋に何日分かの薬と処方量と摂取時期を指示したものを患者に供給している。患者はその指示にしたがいその都度摘出して飲用しているのが現状である。患者によっては幾種類もの薬を飲用せねばならず大変な手間をさいている、また年寄りにいたっては機敏性も衰えており難儀を極めているのが現状となっている。そこで、ここでは一回セットすれば、毎回同じ確認をしなくても済む方式で薬の供給が受けられる薬供給器を格安の仕組みで提供することを解決することとした。
【課題を解決するための手段】
【０００４】一定期間処方された薬量が格納できる一日毎の朝昼夕及び食前食後およびねる前等の格納スペースを設け、全てのスペースに処方された通りに装填しておき、予め一日分出るようにあけた取り出し口の場所に格納スペースを移動させ朝昼夕及び食前食後およびねる前別に落下させるシュートを設けて薬の取り出し部及び１日分のひきだしに供給する。
ここでは観覧車型、格子円型及び格子角型の３タイプを課題解決手段とする。各タイプには２週間分タイプと１ヶ月分タイプの２種類を設定する。
【発明の効果】
【０００５】従来だと間違えて飲む危険と、飲んだか飲まないかを忘れて重複服用したりする危険の防止効果が図れる、特に慢性的に薬を服用される方及びお年寄りなど機敏性が衰えた人々に対しては利便性が期待できる。また、一日分が決められた通りに供給されるため、取り出し供給スペースを確認すれば飲み忘れの際は置いたままになって確認され、また無くなっていれば飲んだことになり、糖尿病などに見られる重複服用による低血糖障害なども防止できる効果も期待できる。
【発明を実施するための最良の形態】
【０００６】本発明を利用される対象者が個人であることを考慮すれば、手軽に買えるものにするためにプラスチック成型品で大量生産する事が最良の形態と思われる。
また、タイマーなどをつけて自動的に日めくりするなどが出来ぬことはないがあえて全て利用者自身が薬の初期投入からその日の供給のための操作をおこなうことで自分自身に対する投薬ミスなどが起こらぬよう自覚しなくてはならぬ製品であることを理解して使用していただいた方が誤飲による事故も防げる、更に何も自動化しないことによって、より安価で利用されやすくなることが最良の形態である。
【実施例１】
【０００７】観覧車型薬供給器の場合は、形状及び外観を図１に示す。図１は２週間用を示す。その概要は薬を入れる円筒部とそれを支える外周部の２部品で構成される。円筒部の詳細は断面方向から見ると、自転車のハブのように３６０度を１６等分間隔で仕切板で区切り、更に円筒長さ方向には、ここでは一日５回分に相当する５区画を設けるように間仕切りをつける。これによって１日５回・１５日分の薬格納スペースが設けられる。円筒表面は開放状態にしておく、円筒には観覧車のように回転させるための車軸も備える。１ヶ月分は円断面を３２等分割とし、３１日分投薬可能とする。他は図１の２週間用に倣うものとす。外周部の詳細は円筒部が回転する程度のギリギリの隙間を空けて囲んだ円筒を用いる。外周円筒の端部は観覧車を入れるため片側は組立式とし、観覧車の車軸を受ける穴を設けてある。また外周円筒の下方には１日分の薬を搬出するための開放部を設ける。その廻りには薬が待機する一日５回分に相当する５区画を設け、間仕切りをつける。ここが供給された薬の供給場所となる。更に設置し易いよう台も設ける、このスペースには特殊薬（液薬等の容器等）を格納する。観覧車外筒部には各個人別が医師より指示された処方箋を説明した紙を貼り付け常に確認出来るようにする。また、観覧車の車軸と外周部を用い、スライド式の日付カレンダーを備えて薬量の残量を確認できるようにしておく。
【実施例２】
【０００８】格子円型薬供給器の場合は、形状及び外観を図２に示す。図２は２週間用を示す。その概要は薬を入れる円形格子とそれを支える格子受台の２部品で構成される。円形格子部の詳細は上方向から見ると、自転車のハブのように３６０度を１６等分間隔で仕切板で区切り、その一区画を更に、ここでは一日５回分に相当する５区画を設けるように間仕切りをつける。これによって１日４回・１５日分の薬格納スペースが設けられる。円形格子部の上下は開放状態にしておく、更に回転させるための車軸も円形中心に備える。１ヶ月分用は格子を３２等分割とし、３１日分投薬可能とする。他は図２の２週間用に倣うものとす。格子受台の詳細は円形格子部が回転する程度のギリギリの大きさの格子受板を天板に持つ台構造で中心には円形格子の旋回軸を備える。また１日分の薬を搬出するための薬落下口を設ける。薬落下口は薬の袋が詰まらないような構造とする。
その下方には薬が待機する一日５回分に相当する５区画を設け間仕切りをつけ、その下に一日分のひきだしを置き薬を受ける。この引出を取り出し都合の良いところで利用する。このスペースの奥には特殊薬（液薬の容器等）を格納する特殊薬のひきだしを備える。円形格子のカバーには各個人別が医師より指示された処方箋を説明した紙を貼り付け常に確認出来るようにする。また、円形格子のカバーには日付カレンダーを備えて薬量の残量を確認できるようにしておく。
【実施例３】
【０００９】格子角型薬供給器の場合は、形状及び外観を図３に示す。図３は２週間用を示す。その概要は薬を入れる角形格子とそれを支える台部の２部品で構成される。角形格子部の詳細は上方向から見ると、ここでは一日５回分に相当する５区画を設けるように間仕切りをつける。それを更に１日分を１．５ｃｍ程度に区切るこの５区画が１日分となる。この区画を１６日分の設けることで薬格納スペースが設けられる。格子の上下は開放状態にしておき薬の投入と供給を行う。１ヶ月分は格子を３１分割し、３１日分投薬可能とする。他は図３の２週間用に倣うものとする。
台部の詳細は角形格子部が乗りスライド移動できる大きさのテーブル状の形状とする。格子スライドテーブルには１日分の薬を搬出するための開放部を設ける。その下方には薬が待機する一日５回分に相当する５区画を設け間仕切りをつける。ここが供給された薬の供給場所となる。その下に一日分のひきだしを置き、薬を受ける。この引出を取り出し都合の良いところで利用する。このスペースの隣には特殊薬（液薬の容器等）を格納する特殊薬のひきだしを備える。格子カバーには各個人別が医師より指示された処方箋を説明した紙を貼り付け常に確認出来るようにする。更に、日付カレンダーを備えて薬量の残量を確認できるようにしておく。
【産業上の利用可能性】
【００１０】本器を活用する対象者が個人となるため、安価な商品にして供給することになる。したがって、プラスチック成型品などで大量生産してコストダウンを行い、大量供給する事になると思われる。たとえ大量に普及した場合でも産業上で大きく貢献することは期待できないが、高齢化社会がますます進行している現状を考慮すると、本器を求めている潜在的消費者がかなりいると思われる。ある程度の社会的貢献が期待できると思われる。
【図面の簡単な説明】
【００１０】
【図１】観覧車型薬供給器の概念図
【図２】格子円型薬供給器の概念図
【図３】格子角型薬供給器の概念図
【図１】
2005270602.tif 000003
【図２】
2005270602.tif 000004
【図３】
2005270602.tif 000005